(57)【要約】【課題】  送風機からの空気により室外熱交換器を冷却する従来の方法よりもさらに冷却効率を改善して、室外熱交換器の冷却効率を向上すること。【解決手段】  圧縮機１と、圧縮された冷媒を熱交換により放熱して冷却する第１熱交換器２と、膨張機構３と、膨張した冷媒を蒸発させる第２熱交換器４と、循環配管５とを有する空気調和装置の前記第１熱交換器を冷却する方法であって、前記第１熱交換器２の表面に霧状水分７を含む空気を供給して、前記霧状水分７の蒸発潜熱により前記冷媒を冷却する。これにより、一部の霧状水分７の蒸発による蒸発潜熱により空気の温度が低下されるとともに、さらに、その温度低下した空気を含む霧状水分が第１熱交換器２の表面に供給されて、霧状水分の蒸発潜熱により第１熱交換器２が冷却されて、冷却効果がさらに向上する。【選択図】  図１
2005226955.tif 000002
【特許請求の範囲】
【請求項１】
冷媒を圧縮する圧縮機と、圧縮された冷媒を熱交換により放熱して冷却する第１熱交換器と、冷媒を絞って膨張させる膨張機構と、膨張した冷媒を蒸発させる第２熱交換器と、前記圧縮機と前記第１熱交換と前記膨張機構と前記第２熱交換器とを連結して前記冷媒を循環する循環配管とを有する空気調和装置の前記第１熱交換器を冷却する方法であって、前記第１熱交換器の表面に霧状水分を含む空気を供給して、前記霧状水分の蒸発潜熱により前記冷媒を冷却することを特徴とする空気調和装置の熱交換器を冷却する方法。
【請求項２】
前記霧状水分を含む空気は、該霧状水分の蒸発による蒸発潜熱により冷却された空気となって、霧状水分とともに、供給手段により前記第１熱交換器に供給されることを特徴とする請求項1に記載の空気調和装置の熱交換器を冷却する方法。
【請求項３】
前記霧状水分は、前記第２熱交換器の作用により空気中の水分から凝縮されたドレイン水を利用して発生されることを特徴とする請求項1または請求項２に記載の空気調和装置の熱交換器を冷却する方法。
【請求項４】
前記霧状水分の１つの霧粒子の大きさは、約１００ミクロン以下であることを特徴とする請求項1から請求項３のいずれか１項に記載の空気調和装置の熱交換器を冷却する方法。  
【請求項５】
前記霧状水分は、空気中を浮遊できる程度の大きさの霧粒子であることを特徴とする請求項1から請求項４のいずれか１項に記載の空気調和装置の熱交換器を冷却する方法。  
【請求項６】
前記霧状水分は、超音波発信装置または静電霧化装置の利用により発生されることを特徴とする請求項１から請求項５のいずれか１項に記載の空気調和装置の熱交換器を冷却する方法。
【請求項７】
前記霧状水分を含む空気は誘導板によって前記第１熱交換器の表面に導かれることを特徴とする請求項1から請求項６のいずれか１項に記載の空気調和装置の熱交換器を冷却する方法。  
【請求項８】
請求項１から請求項７のいずれか１項に記載の熱交換器を冷却する方法を用いた空気調和装置であって、前記圧縮機と、前記第１熱交換器と、前記膨張機構と、前記第２熱交換器と、前記冷媒と、前記循環配管と、前記霧状水分を発生して前記第１熱交換器の表面に供給する霧状水分発生供給装置とを備えることを特徴とする空気調和装置。
【発明の詳細な説明】
【技術分野】
【０００１】
本発明は、空気調和装置に関し、特に、熱交換器の冷却方法及びその方法を用いた空気調和装置に関する。
【背景技術】
【０００２】
従来の空気調和装置の一例を示す構成図を図６と図７に示す。図６において、従来の空気調和装置は、冷媒を圧縮する圧縮機９１と、圧縮した冷媒の熱を放出して冷媒を凝縮させる室外熱交換器９２と、冷媒を絞って膨張させる膨張機構９３と、膨張した冷媒で熱を吸収してその冷媒を蒸発させる室内熱交換器９４と、室外熱交換器を冷却する送風機９９と、これらの圧縮機９１と室外熱交換器９２と膨張機構９３と室内熱交換器９４とを連結する冷媒の循環配管９５と、から構成されている。圧縮機９１と第１熱交換器９２と送風機９９は室外機１１１の中に設置されている。膨張機構９３と第２熱交換器９４は室内機１１２の中に設置されている。室外熱交換器９２における冷媒は、送風機９９により送られる空気だけにより冷却される。
【０００３】
また、室外熱交換器の冷却効率を向上する方法として、室外機に水槽を設置し、その水槽の中の水を汲み上げて室外熱交換器の伝熱管の上方から散水器を介して伝熱管に散水して冷却特性を向上する方法が知られている。
【０００４】
また、特開２００１−３１７８２１には、図７に示すように、室外熱交換器の冷却効率を向上する方法として、室外熱交換器９１の伝熱管表面に水を噴霧する手段９６と、この熱交換器の伝熱表面における水の蒸発量を推定し、推定した蒸発量に基づいて噴霧推量を制御する手段９７とを有する空気熱源式冷房装置が開示されて、この水の噴霧量として、室外熱交換器の伝熱管表面に１時間・１平方メートル当たり５から１５リットルの水を噴霧し、該噴霧水の蒸発潜熱によって伝熱管内を流れる冷媒を冷却する方法が開示されている。水を噴霧する手段９６として、水の噴霧角度が９０度の噴霧ノズルを持つ噴霧器が開示されおり、１つの噴霧器から直径２５０ミリメートルの円形の噴霧領域が形成され、このような噴霧器が水平方向に三列、垂直方向に三列の合計九つが配置されている。熱交換器の伝熱表面における水の蒸発量を推定し、推定した蒸発量に基づいて噴霧推量を制御する手段９７としては、外気温と湿度及び冷媒の温度から室外伝熱管の表面における水の蒸発量を推定し、伝熱管表面への噴霧推量と噴霧するタイミングを制御する。これにより、室外熱交換器の放熱効率が最適になり、効率よく冷却できる。ここで、蒸発水量は、大気の温度と湿度、冷媒温度、及び水の温度によって変化する。すなわち、大気の温度が高いほど、水の温度が高いほど、水の蒸発は早くなり、特に、外気温が３４℃の高温時、例えば、夏の晴天時の昼間に優れた効果を発揮する。
【特許文献１】特開２００１−３１７８２１公報
【発明の開示】
【発明が解決しようとする課題】
【０００５】
しかしながら、上記の従来技術において、室外熱交換器の送風機を利用して空気により冷却する方法よりもさらに冷却効率を向上すること、及び、さらなる省エネルギー化が要望されている。
【０００６】
また、散水器により室外熱交換器の伝熱管の上方から伝熱管に散水して伝熱管を冷却する方法は、大型になり、また、大量の水を必要とするなどの課題がある。
【０００７】
さらに、特開２００１−３１７８２１に開示されている方法は、水を噴霧する手段として、ホロコーンタイプの噴霧ノズルを持つ噴霧器から直径２５０ミリメートルの円形の噴霧領域が得られるような噴霧手段を開示しており、さらに、最適な噴霧水量は１時間・１平方メートル当たり５から１５リットルであることを開示している。この従来例では、噴霧水量が１時間・１平方メートル当たり５から１５リットルの範囲であることから推測して、一つひとつの水分の大きさをまったく示していないが、恐らく、噴霧水分量が比較的多くなるシャワー状またはスプレー状に噴霧された水であるものと推測される。すなわち、直径が約０．１ｍｍから約１ｍｍまでの多数の孔をもつノズルから水を噴射する方法であるものと推測される。または、シャワー状またはスプレー状に噴霧された水は、直線的に繋がった線状の水となって噴霧される水であるものと推測される。したがって、必要な水量が多くなり、水を貯蔵するタンクの大きさも大きくなり、または、水道管に直結した水を利用する必要がある。大きな水貯蔵タンクは装置を大型にするという課題があり、また、水道管に直結する場合には、設置場所が限定されるなどの課題がある。さらに、スプレー水の場合、室外の第１熱交換器に均一に噴霧するために噴霧ノズルを第１熱交換器に対して対向して直線的に配置する必要があるので、装置の小型化が難しい。これらの課題に加えて、この従来例の方法は、高温時である夏の昼間のみに限って優れた効果を発揮するが、気温の低い夜中や湿度の高い雨天時などにおいては、冷却効率を向上する効果が少ないという課題がある。
【課題を解決するための手段】
【０００８】
本発明の空気調和装置の熱交換器を冷却する方法は、冷媒を圧縮する圧縮機と、圧縮された冷媒を熱交換により放熱して冷却する第１熱交換器と、冷媒を絞って膨張させる膨張機構と、膨張した冷媒を蒸発させる第２熱交換器と、前記圧縮機と前記第１熱交換と前記膨張機構と前記第２熱交換器とを連結して前記冷媒を循環する循環配管とを有する空気調和装置の前記第１熱交換器を冷却する方法であって、前記第１熱交換器の表面に霧状水分を含む空気を供給して、前記霧状水分の蒸発潜熱により前記冷媒を冷却することを特徴とする。
【０００９】
本発明の空気調和装置は、冷媒を圧縮する圧縮機と、圧縮された冷媒を熱交換により放熱して冷却する第１熱交換器と、冷媒を絞って膨張させる膨張機構と、膨張した冷媒を蒸発させる第２熱交換器と、前記圧縮機と前記第１熱交換と前記膨張機構と前記第２熱交換器とを連結して前記冷媒を循環する循環配管と、霧状水分を発生して前記第１熱交換器の表面に霧状水分を含む空気を供給する霧状水分発生供給装置とを備え、前記霧状水分の蒸発潜熱により前記冷媒を冷却することを特徴とする。
【００１０】
上記の空気調和装置の熱交換器を冷却する方法及び空気調和装置において、望ましくは、下記のようなそれぞれの構成を有する。
【００１１】
望ましくは、前記霧状水分を含む空気は、該霧状水分の蒸発による蒸発潜熱により冷却された空気となって、霧状水分とともに、供給手段により前記第１熱交換器に供給される。
【００１２】
望ましくは、前記霧状水分は、前記第２熱交換器の作用により空気中の水分から凝縮されたドレイン水を利用して発生される。
【００１３】
望ましくは、前記霧状水分の１つの霧粒子の粒子径は、約１００ミクロン以下の大きさであり、特に望ましくは、約０．０１ミクロンから約５０ミクロンまでの範囲の大きさである。ここで、１ミクロンは、百万分の一メートルの長さである。
【００１４】
望ましくは、前記霧状水分は、空気中を浮遊できる程度の大きさの霧粒子である。
【００１５】
望ましくは、前記霧状水分は、超音波発信装置または静電霧化装置の利用により発生される。
【００１６】
望ましくは、前記霧状水分を含む空気は、誘導板によって前記第１熱交換器の表面に導かれる。
【００１７】
第１熱交換器の表面に霧状水分を含む空気を供給して、その霧状水分の蒸発潜熱により冷媒を冷却する方法により、外気温や湿度などに依存することなく第１熱交換器の冷却効率が向上する。
【００１８】
霧状水分を発生して第１熱交換器の表面に霧状水分を含む空気を供給する霧状水分発生供給装置を備え、霧状水分の蒸発潜熱により冷媒を冷却する構成により、外気温や湿度などに依存することなく第１熱交換器の冷却効率が向上する。
【００１９】
霧状水分を含む空気がその霧状水分の蒸発による蒸発潜熱により冷却された空気となって、霧状水分とともに、供給手段により前記第１熱交換器に供給される構成により、一部の霧状水分の蒸発による蒸発潜熱により、空気の温度が低下されるとともに、その温度低下した空気を含む霧状水分が第１熱交換器の表面に供給されて、第１熱交換器の冷却効果がさらに向上する。すなわち、第１熱交換器２は、霧状水分７の蒸発潜熱による冷却されるとともに、冷却された空気によっても冷却される。すなわち、冷却された空気と霧状水分の蒸発潜熱との双方の作用により、第１熱交換器２の表面が冷却されて、その内部の冷媒も冷却される。
【００２０】
霧状水分が前記第２熱交換器の作用により空気中の水分から凝縮されたドレイン水を利用して発生される構成により、霧状水分を発生するための水の供給が不要となるとともに、ドレイン水の排水機構が不要になる。
【００２１】
霧状水分の１つの霧粒子の粒子径が約１００ミクロン以下の大きさであり、特に望ましくは、約０．０１ミクロンから約５０ミクロンまでの範囲の大きさであることにより、霧状水分が空気中に放出されたとき、さらに、霧状水分が第１熱交換器の表面に供給されたとき、霧状水分の蒸発が速やかに行われ、水の蒸発潜熱が有効に利用されて、冷媒の冷却効果が著しく向上する。
【００２２】
霧状水分が超音波発信装置または静電霧化装置の利用により発生される構成により、約５０ミクロンより小さい霧粒子が発生され、浮遊して空気と一緒に第１熱交換器に供給される。したがって、第１熱交換器の表面において、霧状水分の蒸発が速やかに行われ、水の蒸発潜熱が有効に利用されて、冷媒の冷却効果が著しく向上する。
【発明の効果】
【００２３】
第１熱交換器の表面に霧状水分を含む空気を供給して、その霧状水分の蒸発潜熱により冷媒を冷却する方法により、外気温や湿度などに依存することなく第１熱交換器の冷却効率が向上する。また、霧状水分を発生して第１熱交換器の表面に霧状水分を含む空気を供給する霧状水分発生供給装置を備え、霧状水分の蒸発潜熱により冷媒を冷却する構成により、外気温や湿度などに依存することなく第１熱交換器の冷却効率が向上する。さらに、霧状水分を含む空気がその霧状水分の蒸発による蒸発潜熱により冷却された空気となって、霧状水分とともに、供給手段により前記第１熱交換器に送風されることにより、一部の霧状水分の蒸発による蒸発潜熱により空気の温度が低下されるとともに、その温度低下した空気を含む霧状水分が第１熱交換器の表面に供給されて、霧状水分の蒸発潜熱と冷却された空気との双方の作用により、第１熱交換器の冷却効果がさらに向上する。さらに、前記霧状水分が空気中で浮遊できる程度の小さい霧粒子であることにより、上記の作用効果が著しく向上する。さらに、誘導板を設置した構成により、発生した霧状水分を効率よく第１熱交換器の表面に誘導でき、第１熱交換器における冷媒の冷却効果が著しく向上するとともに、霧状水分発生供給装置を任意の位置に設置することが可能となり、室外機の設計の自由度が増す。さらに、霧状水分が前記第２熱交換器の作用により空気中の水分から凝縮されたドレイン水を利用して発生されることにより、霧状水分を発生するための水の供給が不要となるとともに、ドレイン水の排水機構が不要になる。さらに、霧状水分の１つの霧粒子の大きさが約１００ミクロン以下であることにより、霧状水分が第１熱交換器の表面に供給されたとき、霧状水分の蒸発が速やかに行われ、水の蒸発潜熱が有効に利用されて、冷媒の冷却効果が著しく向上する。さらに、霧状水分が超音波発信装置の利用により発生されることにより、約１００ミクロンよりも小さい霧粒子が発生され、霧状水分の蒸発が速やかに行われ、水の蒸発潜熱が有効に利用されて、冷媒の冷却効果が著しく向上する。
【発明を実施するための最良の形態】
【００２４】
次に、本発明を実施例に基づいて詳細に説明する。図１、図２、図３、図４及び図５は、本発明の一実施例の空気調和装置熱交換器を冷却する方法及びその空気調和装置の説明図であり、その主要部の構成を示す説明図である。
【００２５】
図１において、空気調和装置は、冷媒を圧縮する圧縮機１と、圧縮された冷媒を熱交換により放熱して冷却する第１熱交換器２と、冷媒を絞って膨張させる膨張機構３と、膨張した冷媒を蒸発させる第２熱交換器４と、冷媒の循環配管５と、霧状水分発生供給装置６とを備える。循環配管５は、圧縮機１と第１熱交換器２と膨張機構３と第２熱交換器４とを順次連結して、その中を冷媒が循環する。圧縮機１と第１熱交換器２と霧状水分発生供給装置６は、室外機１１の中に設置されている。膨張機構３と第２熱交換器４は室内機１２の中に設置されている。霧状水分発生供給装置６は、霧状水分７を発生して、矢印の方向に、その霧状水分７を第１熱交換器２の表面に霧状水分７を含む空気を供給する。
【００２６】
このような構成の空気調和装置の冷房運転時において、第１熱交換器２に入る冷媒は高温になっている。霧状水分発生供給装置６から発生したき霧状水分７は第１熱交換器２の表面に供給される。第１熱交換器２の表面は高温になっているため、霧状水分７は第１熱交換器２の表面で蒸発する。このとき、蒸発潜熱により、第１熱交換器２の表面が冷却されて、その内部の冷媒も冷却される。霧状水分の霧粒子の大きさが小さいほど、霧状水分が速やかに蒸発するため、霧状水分の粒子の大きさが小さいほど優れた冷却効果が得られる。このように、霧状水分７が第１熱交換器２の表面に供給されたとき、霧状水分７の蒸発が速やかに行われ、水の蒸発潜熱が有効に利用されて、冷媒の冷却効果が著しく向上する。さらに、霧状水分の少ない量で熱交換器を有効に冷却できる。さらに、霧状水分の大きさが小さいため、外気温に関係なく、霧状水分が速やかに蒸発して、蒸発潜熱による冷却効果が得られる。
【００２７】
望ましくは、霧状水分の霧粒子の大きさは、霧粒子が空気中に浮遊できる程度の小さい粒子が望ましい。これにより、上記の効果がさらに向上するとともに、発生した霧状水分を任意の位置に誘導することが可能となり、そのため、霧状水分発生装置を、第１熱交換器に対向して一直線上に設置する必要がなく、任意の位置に誘導できるようになる。
【００２８】
これに対して、従来例のように、霧状水分が存在しない状態で、送風のみにより第１熱交換器を冷却しようとした場合、その冷却効果は、霧状水分を含む空気を供給した場合に比べて劣る。また、従来例のように、水を噴霧する場合、一般的には、直径約０．１ｍｍから約１ｍｍまでの大きさの多数の孔を有するノズルから噴出する水によって第１熱交換器が冷却される場合、本実施例と比べて、一つの水摘の粒子の大きさが大きいため、または、その水分が連続した線となって噴出されるため、その水の蒸発速度が遅くなり、そのために、蒸発潜熱による熱交換器の冷却効果は、本実施例よりも劣る。また、このような従来例の水を噴霧する方法の場合、多数の細い孔から水を噴霧するため、多量の水を必要とする。また、噴霧水の供給源を水道管と直結するときには、室外機の設置場所が限定されることになる。また、噴霧ノズルを、第１熱交換器に対向する位置に設置する必要があるため、噴霧装置の設置位置が限定され、室外機の設計の自由度が劣る。また、水をタンクに貯蔵する場合には、大きな容量のタンクが必要になり、室外機の装置が大きくなってしまう。
【００２９】
本実施例において、第１熱交換器２の形状は、特に限定しないが、例えば、多数個のフインを有する伝熱管を有するような構成が使用できる。この多数個のフインに霧状水分が供給されて、効率良く熱交換される。
【００３０】
図２と図３は、霧状水分発生供給装置６の一例を詳細に示した空気調和装置の説明図である。図２において、霧状水分発生供給装置６は、水貯蔵容器６１と霧状水分発生機６２と供給手段６３とを有する。その他の構成は、図１で説明した構成と同じである。供給手段６３としては、特に限定しないが例えば送風機が使用される。図２においては、供給手段６３としての送風機が、霧状水分発生機６２と第１熱交換器２との間に位置する。水貯蔵容器６１の中に水が貯蔵される。その水貯蔵容器の中の水を利用して霧状水分発生機６２から霧状水分７が発生されて、霧状水分７が空気中に放出される。霧状水分７は空気中に放出されて空気に混じった状態、すなわち、霧状水分は空気を含む霧状水分の形態で、供給手段６３により矢印方向に第１熱交換器２の表面に送風されて供給される。ここで、霧状水分が空気中に放出されたとき、一部の霧状水分７は蒸発して、その蒸発潜熱によりその空気は冷却される。冷却された空気を含む霧状水分７が第１熱交換器２の表面に供給されたとき、上記と同じように、第１熱交換器２は、霧状水分７の蒸発潜熱による冷却されるとともに、冷却された空気によっても冷却される。すなわち、冷却された空気と霧状水分の蒸発潜熱との双方の作用により、第１熱交換器２の表面が冷却されて、その内部の冷媒も冷却される。このように、本構成において、第１熱交換器がさらに効率よく冷却される。
【００３１】
図3において、供給手段６３としての送風機は、室外機１１の側面側に位置し、霧状水分発生機６１と送風機６３との間に第１熱交換器２が位置する。その他の構成は、上記の図２で説明した構成と同じである。この構成においては、霧状水分発生機６１により発生した霧状水分７と冷却された空気の双方は、送風機６３により吸引されて第１熱交換器２の表面に供給される。この構成においても、図３の構成の空気調和装置と同じ作用効果が得られる。
【００３２】
また、図３に示したように、霧状水分発生機６１から第１熱交換器２に向けての通路領域に、発生した霧状水分７が第１熱交換器２に導かれるような形状の誘導板６４を設置することもできる。すなわち、誘導板６４は供給手段６３の一種である。これにより、霧状水分発生機６１から発生した霧状水分７が誘導板６４に導かれて、第１熱交換器２に供給され、霧状水分が他の領域に漏れることなく、有効に利用される。これにより、第１熱交換器２の冷却効果がさらに向上する。
【００３３】
図４に示したように、霧状水分発生機６１から第１熱交換器２に至る通路領域に周囲を囲った誘導板６４を設置する構成も可能である。霧状水分７は空気中で浮遊できる程度の小さい霧粒子である。図４において、誘導板６４は風洞を形成し、霧状水分発生機６１から発生した霧状水分７が誘導板６４としての風洞の中を通って第１熱交換器２に導かれる。この場合、供給手段６３としての送風機は、図４に示されるように室外機１１の壁側に設置される構成、又は、図示していないが、風洞の中に設置される構成も可能である。送風機が室外機１１の窓側に設置される場合、送風機は、風洞の中の霧状水分７を吸引して第１熱交換器２に有効に導く。送風機が風洞の中に設置される場合、送風機は風洞の中の霧状水分７を吸引するとともに第１熱交換器に送る。この構成により、霧状水分発生供給装置６は、第１熱交換機２に対向して一直線上に設置する必要がなく、任意の位置に設置することができる。例えば、水貯蔵器６１や霧状水分発生機６２は、第１熱交換器２の上方向や斜め方向の位置に設置、又は、室外機１１の上の位置に設置できる。従って、室外機２の設置面積を広くすることなく、水貯蔵器６１や霧状水分発生機６２などの霧状水分発生供給装置６を設置できる効果もある。このように、室外機１１の設計の自由度が増す。
【００３４】
図２、図３及び図４において、霧状水分発生機６２としては、超音波発信装置または静電霧化装置が望ましい。超音波発信装置は、約５０ミクロン以下の小さい粒子の霧状水分７を発生する。また、静電霧化装置は約１ミクロン以下の小さい粒子の霧状水分７を発生する。これらの装置から発生した霧状水分は、直ぐに落下することなく空気中に長時間浮遊状態を保つことができるため、霧状水分発生機６２と第１熱交換器２は必ずしも対向して直線的に配置する必要はないので、装置が小型化できる。また、超音波発信装置及び静電霧化装置は小型で、一定量及び一定した大きさの霧粒子を持つ霧状水分を発生できる。そのため、低消費電力で、安定した状態で霧状水分７を第１熱交換器２に供給できる。
【００３５】
本実施例において、望ましくは、前記霧状水分の１つの霧粒子の大きさは、約１００ミクロン以下の大きさを有する。特に望ましくは、前記霧状水分の１つの霧粒子の大きさは、約０．０１ミクロンから約５０ミクロンまでの範囲にある。なお、１ミクロンは、１００万分の１ｍである。この構成において、霧状水分が第１熱交換器の表面に接触したとき、短時間に蒸発し、蒸発する水分割合が多くなるなど、霧状水分が効果的に蒸発し、蒸発潜熱による冷却効果が著しく優れる。霧状水分のひとつの霧粒子の大きさが約１００ミクロンを超える場合、蒸発速度が遅く、又は、蒸発する水分割合が少なくなるなど、冷却効果が低下する傾向にある。霧状水分の１つの霧粒子の大きさが約０．０１ミクロン未満の場合、霧状水分が空気中に放出された直後に、多くの霧状水分が蒸発してしまい、放出された霧状水分が第１熱交換器の表面に到達する割合が少なくなり、その結果、第１熱交換器の表面における蒸発潜熱による冷却効果が低下する。ただし、この場合、冷却された空気による第１熱交換器の冷却効果は増大する。約１００ミクロン以下の大きさの霧粒子を発生する装置としては、超音波発信装置または静電霧化装置を利用した装置が使用できる。超音波発信装置としては、例えば、水に、圧電素子などにより発生する超音波振動を印加することにより、約５０ミクロン以下の大きさの粒子を持つ霧状水分が発生される。また、静電霧化装置により水を霧状にする方法として、水に１０００ボルト以上の高電圧を印加することにより、約１ミクロン以下の大きさの粒子の霧状水分が発生される。霧状水分発生装置としてはこれらに限定されることなく、他の霧状水分発生装置も使用できる。例えば、特定の形状を有する噴霧ノズルから、空気と水を圧力により噴出することにより、１００ミクロン以下の粒子径を持つ霧状水分が発生される。または、特殊ノズルから水を空気圧により噴出することにより、１００ミクロン以下の粒子径を持つ霧状水分が発生される。
【００３６】
図５は霧状水分の供給源として、室内機から発生するドレイン水を利用する実施例を記す。図５において、室内機１２から発生したドレイン水８がドレイン管８１を通って、水貯蔵容器６１の中に貯蔵される。このドレイン水８を利用して、霧状水分発生機６２により霧状水分７が発生される。その他の構成は、図１、図２、図３及び図４の構成と同じである。このように構成された空気調和装置においても、上述の図１、図２、図３及び図４で説明した作用効果と同じ作用効果が得られる。さらに、室内機から発生したドレイン水を利用するため、新たな水を常に補充する必要がなくなる。また、従来のようにドレイン水を室外に放出して処理する必要もなくなる。
【図面の簡単な説明】
【００３７】
【図１】本発明の一実施例の空気調和装置熱交換器を冷却する方法及びその空気調和装置の主要部の構成を示す説明図。
【図２】本発明の一実施例の空気調和装置熱交換器を冷却する方法及びその空気調和装置の主要部の構成を示す説明図。
【図３】本発明の一実施例の空気調和装置熱交換器を冷却する方法及びその空気調和装置の主要部の構成を示す説明図。
【図４】本発明の一実施例の空気調和装置熱交換器を冷却する方法及びその空気調和装置の主要部の構成を示す説明図。
【図５】本発明の他の実施例の空気調和装置熱交換器を冷却する方法及びその空気調和装置の主要部の構成を示す説明図。
【図６】従来の空気調和装置の説明図。
【図７】従来技術の一例を示す説明図。
【符号の説明】
【００３８】
１    圧縮機
２    第１熱交換器
３    膨張機構
４    第２熱交換器
５    循環配管
６    霧状水分発生供給装置
７    霧状水分
８    ドレイン水
１１  室外機
１２  室内機
６１  水貯蔵容器
６２  霧状水分発生機
６３  供給手段
６４  誘導板
８１  ドレイン管
【図６】
2005226955.tif 000003
【図７】
2005226955.tif 000004
【図１】
2005226955.tif 000005
【図２】
2005226955.tif 000006
【図３】
2005226955.tif 000007
【図４】
2005226955.tif 000008
【図５】
2005226955.tif 000009